(57)【要約】【課題】腹部の形状および大きさに関わらず、見栄えを損なわずに良好な着用感を与えることが可能な下半身用衣類を提供すること。【解決手段】ウエスト部１０を備える下半身用衣類１は、ウエスト部１０の正面表側に設けられる構成として、面ファスナー１３を備える。着用者は、例えば、ウエスト部１０の正面側において、自分のウエストサイズに合うようにウエスト部１０の裏側を重ね合わせる。そして、着用者は、ウエスト部１０の裏側を重ね合わせたまま、ウエスト部１０を周方向に折り畳むように面ファスナー１３を係止させる。これにより、ウエスト部１０の一部が周方向に折り畳まれ、下半身用衣類１のウエストサイズを着用者に合わせることができる。【選択図】図５
2020020049.tif 000002
【特許請求の範囲】
【請求項１】
本体部と、
前記本体部の上端に設けられ、環状に形成されたウエスト部と、
前記ウエスト部の表側に取り付けられた面ファスナーと、を備え、
前記面ファスナーは、前記ウエスト部の周方向に設けられており、
前記面ファスナーは、第１部分と、当該第１部分とは周方向に位置が異なる第２部分とが係止可能であり、
前記第１部分と前記第２部分とが重なるように前記ウエスト部の一部を周方向に折り畳むことによりウエストサイズを調整可能な、下半身用衣類。
【請求項２】
前記面ファスナーの外側に重畳して配置可能なベルト部を備える、請求項１に記載の下半身用衣類。
【請求項３】
前記ウエスト部に設けられ、前記ベルト部の長さを調節する長さ調節部を備え、
前記ベルト部は、前記ウエスト部に一端が固定されており、
前記長さ調節部と前記ベルト部の前記一端との間に前記面ファスナーが配された、請求項２に記載の下半身用衣類。
【請求項４】
前記ベルト部は、第１ベルト部分と第２ベルト部分とを含み、
前記第１ベルト部分は、前記ウエスト部に一端が固定されており、
前記第２ベルト部分は、前記ウエスト部に一端が固定されており、
前記第１ベルト部分の前記一端と前記第２ベルト部分の前記一端との間に前記面ファスナーが配された、請求項２に記載の下半身用衣類。
【請求項５】
前記ウエスト部の周方向に前記面ファスナーが延設された、請求項１から４の何れか１項に記載の下半身用衣類。
【請求項６】
前記ウエスト部の正面側に前記面ファスナーが設けられた、請求項１から５の何れか１項に記載の下半身用衣類。
【請求項７】
前記面ファスナーは、フック面とループ面との区別がない面ファスナーである、請求項１から６の何れか１項に記載の下半身用衣類。
【請求項８】
前記面ファスナーは、フック面とループ面とを含み、
前記フック面と前記ループ面とが前記ウエスト部の周方向に並んで配された、請求項１から６の何れか１項に記載の下半身用衣類。
【請求項９】
前記第１部分は、前記面ファスナーにおける正面側の一部であり、
前記第２部分は、前記面ファスナーにおいて前記第１部分よりも背面側の一部であり、
前記第１部分が前記フック面で構成され、
前記第２部分が前記ループ面で構成される、請求項８に記載の下半身用衣類。
【請求項１０】
前記ウエスト部は、伸縮性の高い高伸縮部分と、当該高伸縮部分よりも伸縮性が低い低伸縮部分とを含む、請求項１から９の何れか１項に記載の下半身用衣類。
【請求項１１】
前記高伸縮部分よりも前記低伸縮部分の方が前記ウエスト部の周方向に対して占める長さが長い、請求項１０に記載の下半身用衣類。
【請求項１２】
前記高伸縮部分は、前記ウエスト部の正面側に配されておらず、前記ウエスト部の背面側に配されている、請求項１１に記載の下半身用衣類。
【発明の詳細な説明】
【技術分野】
【０００１】
本発明は、面ファスナーを備える下半身用衣類に関する。
【背景技術】
【０００２】
従来、伸縮性素材から構成される腹部保護帯をパンツ本体の前身頃と後身頃の上部に備える下半身用衣類が存在する（例えば特許文献１参照）。
【先行技術文献】
【特許文献】
【０００３】
【特許文献１】特開２０１４−９５１５６号公報
【発明の概要】
【発明が解決しようとする課題】
【０００４】
ところで、腹部の形状および大きさに関わらず、見栄えを損なわずに良好な着用感を与えるという点においては改善の余地があった。
【０００５】
それ故、本発明の目的は、腹部の形状および大きさに関わらず、見栄えを損なわずに良好な着用感を与えることが可能な下半身用衣類を提供することである。
【課題を解決するための手段】
【０００６】
本発明は、上記の課題を解決するために以下の構成を採用した。
（１）本発明の一例である下半身用衣類は、本体部と、前記本体部の上端に設けられ、環状に形成されたウエスト部と、前記ウエスト部の表側に取り付けられた面ファスナーと、を備え、前記面ファスナーは、前記ウエスト部の周方向に設けられており、前記面ファスナーは、第１部分と、当該第１部分とは周方向に位置が異なる第２部分とが係止可能であり、前記第１部分と前記第２部分とが重なるように前記ウエスト部の一部を周方向に折り畳むことによりウエストサイズを調整可能である。
（２）前記面ファスナーの外側に重畳して配置可能なベルト部を備えてもよい。
（３）前記ウエスト部に設けられ、前記ベルト部の長さを調節する長さ調節部を備え、前記ベルト部は、前記ウエスト部に一端が固定されており、前記長さ調節部と前記ベルト部の前記一端との間に前記面ファスナーが配されてもよい。
（４）前記ベルト部は、第１ベルト部分と第２ベルト部分とを含み、前記第１ベルト部分は、前記ウエスト部に一端が固定されており、前記第２ベルト部分は、前記ウエスト部に一端が固定されており、前記第１ベルト部分の前記一端と前記第２ベルト部分の前記一端との間に前記面ファスナーが配されてもよい。
（５）前記ウエスト部の周方向に前記面ファスナーが延設されてもよい。
（６）前記ウエスト部の正面側に前記面ファスナーが設けられてもよい。
（７）前記面ファスナーは、フック面とループ面との区別がない面ファスナーでもよい。
（８）前記面ファスナーは、フック面とループ面とを含み、前記フック面と前記ループ面とが前記ウエスト部の周方向に並んで配されてもよい。
（９）前記第１部分は、前記面ファスナーにおける正面側の一部であり、前記第２部分は、前記面ファスナーにおいて前記第１部分よりも背面側の一部であり、前記第１部分が前記フック面で構成され、前記第２部分が前記ループ面で構成されてもよい。
（１０）前記ウエスト部は、伸縮性の高い高伸縮部分と、当該高伸縮部分よりも伸縮性が低い低伸縮部分とを含んでもよい。
（１１）前記高伸縮部分よりも前記低伸縮部分の方が前記ウエスト部の周方向に対して占める長さが長くてもよい。
（１２）前記高伸縮部分は、前記ウエスト部の正面側に配されておらず、前記ウエスト部の背面側に配されてもよい。
【発明の効果】
【０００７】
本発明によれば、腹部の形状および大きさに関わらず、見栄えを損なわずに良好な着用感を与えることが可能な下半身用衣類を提供することができる。
【図面の簡単な説明】
【０００８】
【図１】本実施形態の下半身用衣類１について未着用状態を例示する概略図
【図２】ウエスト部１０を正面斜め上および背面左斜め上から見た図
【図３】下半身用衣類１の着用過程を正面から見た図
【図４】下半身用衣類１の着用過程を真上から見た図
【図５】下半身用衣類１の着用状態を例示する概略図
【図６】面ファスナー１３の変形例を模式的に表す図
【発明を実施するための形態】
【０００９】
以下、図面を参照しながら一実施形態の下半身用衣類１について説明する。図１は、本実施形態の下半身用衣類１について未着用状態を例示する概略図である。図２は、本実施形態の下半身用衣類１の一部を正面斜め上および背面左斜め上から見た図である。なお、図２（Ｂ）では、下半身用衣類１の上下方向をＺ軸で示す。また、下半身用衣類１の左右方向をＸ軸で示し、下半身用衣類１の前後方向をＹ軸で示す。
【００１０】
本実施形態の下半身用衣類１は、着用者（例えば妊産婦）が外着として下半身に着用するパンツである。本実施形態では、下半身用衣類１は、着用者の動きに応じてわずかに伸縮する表地（例えばストレッチデニム）で形成される。なお、下半身用衣類１は非伸縮性または難伸縮性の表地で形成されてもよいし、伸縮性の高い表地で形成されてもよい。
【００１１】
図１に例示するように、下半身用衣類１はウエスト部１０と前身頃部２０と後身頃部（不図示）とを備える。ウエスト部１０は、下半身用衣類１のうちの上端の開口部分である。ウエスト部１０は、環状に形成される。本実施形態においては、ウエスト部１０は全周方向に連続して形成される。以下の説明では、ウエスト部１０の周方向を単に「周方向」と呼ぶ。
【００１２】
本実施形態のウエスト部１０は、低伸縮ウエスト部分１１と高伸縮ウエスト部分１２とを有する。本実施形態では、高伸縮ウエスト部分１２の右端１２ａは低伸縮ウエスト部分１１の一端１１ａ（以下、「第１端１１ａ」と呼ぶ。）と連続する。また、高伸縮ウエスト部分１２の左端１２ｂは低伸縮ウエスト部分１１の他端１１ｂ（以下、「第２端１１ｂ」と呼ぶ。）と連続する。
【００１３】
本実施形態の高伸縮ウエスト部分１２は、内部にゴム紐を有するギャザーである。高伸縮ウエスト部分１２は、低伸縮ウエスト部分１１よりも伸縮性が高い。本実施形態の下半身用衣類１は、伸縮性を有するウエスト部１０を備えるので、着用者の腹回りの動きに好適に追従できる。なお、図２（Ａ）に例示するように、低伸縮ウエスト部分１１はギャザーではない。低伸縮ウエスト部分１１は伸縮性を有さなくてもよいし、伸縮性を有してもよい。
【００１４】
図２（Ａ）に例示するように、低伸縮ウエスト部分１１は、ウエスト部１０の正面側から側面側までの部分である。また、高伸縮ウエスト部分１２は、ウエスト部１０の背面側の部分である。このように、本実施形態ではウエスト部１０の正面側がギャザーではないので見栄えがよい。また、腹部にギャザーがあたらないので着心地がよい。
【００１５】
以下の説明では、低伸縮ウエスト部分１１において第１端１１ａからと第２端１１ｂからとの周方向に沿った距離が等しくなる点または線（すなわち、低伸縮ウエスト部分１１の長手方向における中央）を中央部分１７と呼ぶ（図２（Ａ）参照）。本実施形態の低伸縮ウエスト部分１１は、ウエスト部１０の前後方向（すなわち、図２（Ｂ）のＹ軸方向）に関して中心よりも背面側まで設けられる。このため、周方向の長さは、低伸縮ウエスト部分１１の方が高伸縮ウエスト部分１２よりも長い。このように、ウエスト部１０は、ギャザーである部分がギャザーでない部分よりも少ないので見栄えがよい。なお、他の実施形態では、ウエスト部１０は高伸縮ウエスト部分１２を有さなくてもよい。
【００１６】
図１に例示するように、本実施形態では、前身頃部２０は、低伸縮ウエスト部分１１の下側に連続して設けられる。前身頃部２０は、右前身頃と左前身頃とを有する。本実施形態では、右前身頃と左前身頃との間につなぎ目部分２１がある。つなぎ目部分２１は、前身頃部２０のうちつなぎ目部分２１以外の部分に比べると風合いが硬い。他の実施形態では、前身頃部２０は、右前身頃と左前身頃とに分かれておらず、１つの部品で形成されてもよい。また、本実施形態では、前身頃部２０にタック２２〜２５を備える。他の実施形態では、前身頃部２０にタックを備えなくてもよい。
【００１７】
本実施形態では、後身頃部（不図示）は、高伸縮ウエスト部分１２の下側に連続して設けられる。後身頃部は、右後身頃と左後身頃とを有する。右後身頃と左後身頃との間のつなぎ目部分は、つなぎ目部分２１の延長線上に形成される。
【００１８】
本実施形態の下半身用衣類１において、着用者の腹部から股上までを覆う「腹部を覆う部分」と、着用者の股下以下を覆う「股下を覆う部分」とは生地（具体的には表地）の素材が同じである（図１参照）。このため、腹部を覆う部分と股下を覆う部分とが異なる素材である場合と比べて見栄えがよい。
【００１９】
［ウエスト部１０に設けられる構成］
図２（Ａ）に例示するように、下半身用衣類１は、ウエスト部１０の表側に設けられる構成として、面ファスナー１３と、取り付け部１４と、長さ調節部（本実施形態では、Ｄカン１５ａ，１５ｂ）と、ベルト部１６とを備える。また、図２（Ｂ）に例示するように、下半身用衣類１は、ウエスト部１０の裏側に設けられる構成として、第１固定部（本実施形態では、ボタンホール３１，３２）と、第２固定部（本実施形態ではボタン３３）とを備える。
【００２０】
図２（Ａ），（Ｂ）に例示するように、面ファスナー１３はウエスト部１０の正面側に設けられる。本実施形態では、面ファスナー１３は周方向に設けられる。本実施形態の面ファスナー１３は、ウエスト部１０のサイズを調節するために用いられる。本実施形態では、面ファスナー１３は、低伸縮ウエスト部分１１の周方向の長さよりも短い帯状に形成される。面ファスナー１３の幅（すなわち、図２（Ｂ）に示すＺ軸方向の長さ）は、ウエスト部１０の幅よりも狭い。本実施形態では、面ファスナー１３は、中央部分１７（図２（Ａ）参照）より左側から、中央部分１７より右側まで延びて配される。すなわち、面ファスナー１３は、中央部分１７の左側から右側にわたって配される。換言すれば、面ファスナー１３は、中央部分１７の左側から右側に延設される。また、本実施形態において、面ファスナー１３は中央部分１７よりも右側に偏って配される。換言すれば、面ファスナー１３の長手方向の中心は中央部分１７よりも右側である。なお、他の実施形態では、面ファスナー１３は、中央部分１７より左側に配されず、中央部分１７より右側に配されてもよい。また、面ファスナー１３は中央部分１７よりも左側に偏って配されてもよい。
【００２１】
本実施形態では、面ファスナー１３として、フック面とループ面との「区別がない面ファスナー」を用いる。「区別がない面ファスナー」には、例えば、フック状の突起とループ状の突起とが１つの面に複数混在する面ファスナーがある。また、１種類の突起を複数備え、この突起は、対向した同じ形状の突起と係止できる形状である面ファスナーがある。このような面ファスナーは、突起が設けられている面同士を合わせると係止できる。このため、面ファスナー１３のうちの何れの箇所（第１部分の一例）も、面ファスナー１３の他の箇所（第２部分の一例）と係止できる（図２（Ａ）参照）。例えば、面ファスナー１３を何れの箇所で折り返しても、面ファスナー１３の他の箇所と係止できる。後に詳述するが、本実施形態では、このような面ファスナー１３を用いてウエスト部１０のサイズを細やかに調節できる。
【００２２】
なお、面ファスナーは、係止する面が広い程、係止する力（接着力）が増す。本実施形態では、面ファスナー１３同士が接する面全体で係止できるため、面ファスナー１３同士が接する面の一部分しか係止できない場合と比べて、意図せずに係止が外れる可能性を低くできる。
【００２３】
図２（Ａ）に例示するように、取り付け部１４はウエスト部１０の正面側に設けられる。本実施形態では、取り付け部１４は、面ファスナー１３よりも左側に配される。本実施形態では、取り付け部１４は、Ｚ軸方向（図２（Ｂ）参照）に開口するループ状に形成される。取り付け部１４は、Ｄカン１５ａ，１５ｂを下半身用衣類１に取り付けるために用いられる。
【００２４】
図２（Ａ）に例示するように、Ｄカン１５ａ，１５ｂは、ウエスト部１０の正面側に設けられる。本実施形態では、Ｄカン１５ａ，１５ｂは、面ファスナー１３よりも左側に配される。Ｄカン１５ａ，１５ｂは、ベルト部１６の長さを調節するために用いられる。
【００２５】
図１に例示するように、ベルト部１６は帯状に形成される。本実施形態のベルト部１６は、面ファスナー１３を覆うために用いられる。図２（Ａ），（Ｂ）に例示するように、ベルト部１６は、ウエスト部１０の前後方向（すなわち、図２（Ｂ）に示すＹ軸方向）に関して中心よりも背面側に設けられる。具体的には、本実施形態では、ベルト部１６の長手方向の一端が、高伸縮ウエスト部分１２の右端１２ａと低伸縮ウエスト部分１１の第１端１１ａとの境目に取り付けられる。ベルト部１６が取り付けられる位置は、面ファスナー１３よりも背面側である。すなわち、Ｄカン１５ａ，１５ｂとベルト部１６との間に面ファスナー１３が配される。なお、ベルト部１６の他端は自由端である。
【００２６】
本実施形態では、ベルト部１６の長さをＤカン１５ａ，１５ｂによって調節する。このため、本実施形態においては、上記一端から上記他端までのベルト部１６の長さは、低伸縮ウエスト部分１１の第１端１１ａからＤカン１５ａまでの周方向の長さよりも長い。
【００２７】
また、本実施形態では、ベルト部１６の幅は、ウエスト部１０の幅よりも細く、面ファスナー１３の幅よりも広い。このため、ベルト部１６の長さをＤカン１５ａ，１５ｂによって調節すると、面ファスナー１３がベルト部１６によって覆われる。なお、ウエスト部１０と面ファスナー１３とベルト部１６との幅の関係は、ベルト部１６の幅よりも面ファスナー１３の幅の方が広ければ上記に限らない。すなわち、他の実施形態では、ベルト部１６の幅は、ウエスト部１０の幅よりも広くてもよいし、ウエスト部１０の幅と同じでもよい。
【００２８】
図２（Ｂ）に例示するように、ボタンホール３１，３２は、ウエスト部１０の裏側に設けられる。本実施形態では、ボタンホール３１，３２はウエスト部１０の周方向に並んで配される。本実施形態のボタンホール３１，３２は、何れも面ファスナー１３の裏側に位置する。この位置は、例えば、面ファスナー１３の長手方向の中心付近である。また、ウエスト部１０の幅の真ん中付近でもある。このため、Ｄカン１５ａ，１５ｂとベルト部１６との間にボタンホール３１，３２が配される。なお、ボタンホール３１，３２の位置は、面ファスナー１３付近であれば上記に限らずどこでもよい。例えば、ボタンホール３１，３２の位置は、中央部分１７よりもＤカン１５ａに近くてもよいし、Ｄカン１５ａと面ファスナー１３との間でもよい。
【００２９】
ボタンホール３１，３２は、これらのボタンホールのうちの何れかの位置にボタン３３を固定するために用いられる。図２（Ｂ）に例示するように、ボタン３３はウエスト部１０の裏側に設けられる。本実施形態では、ボタン３３のＺ軸方向の位置は、ボタンホール３１，３２と同じであり、ウエスト部１０の幅の真ん中付近である。
【００３０】
本実施形態では、ボタン３３の位置と、ボタンホール３１，３２及び面ファスナー１３の位置とは、Ｄカン１５ａ，１５ｂを挟んで反対側である。本実施形態では、Ｄカン１５ａの付け根（具体的には、取り付け部１４の位置）からの周方向に沿った距離は、ボタンホール３１，３２までとボタン３３までとで同じ位である。これにより、ボタン３３を何れかのボタンホールに固定した場合、ウエスト部１０のうちボタン３３から上記ボタンホールまでを、Ｄカン１５ａの付け根を中心として折り返せる。
【００３１】
なお、第１固定部と第２固定部とは、一方を他方に固定できる任意の構成でよい。例えば、第１固定部がボタンであり第２固定部がボタンホールでもよい。また、第１固定部および第２固定部として１組のバネホックを用いてもよい。
【００３２】
［下半身用衣類１の着用方法］
図３〜図５を参照して、下半身用衣類１の着用方法について説明する。図３は、下半身用衣類１の着用過程を正面から見た図である。図４は、下半身用衣類１の着用過程を真上から見た図である。図５は、下半身用衣類１の着用状態を例示する概略図である。なお、図３及び図５（Ａ）では、説明の便宜上、着用者の表記が省略されている。
【００３３】
図３（Ａ）は、ボタンホール３１，３２のうちの何れにもボタン３３が固定されていない状態である「非固定状態」を例示している。また、図３（Ａ）は、面ファスナー１３が係止されていない状態である「非係止状態」でもある。この状態は、図４（Ａ）と図１とが例示する状態と同じである。このような状態の下半身用衣類１を、着用者は以下の手順で着用する。
【００３４】
図３（Ｂ）に例示するように、まず、着用者は、ウエスト部１０の正面側において、自分のウエストサイズに合うようにウエスト部１０の余りの部分を裏側が重なるように合わせる。例えば、着用者は、Ｄカン１５ａの付け根（具体的には、取り付け部１４の位置）を中心としてウエスト部１０の裏側を重ね合わせる。これにより、低伸縮ウエスト部分１１がＤカン１５ａの付け根で折り返される。また、略下方向に向かって折り目部分２６が生じる。本実施形態のウエスト部１０は、全周方向に連続した環状に形成されている。このため、ウエスト部１０の裏側を容易に重ね合わせることが可能である。また、本実施形態は、前身頃部２０にタック２２〜２５を備える。これにより、下半身用衣類１を腹部の形状に好適に沿わすことができる。
【００３５】
ウエスト部１０の裏側を重ね合わせた際、着用者は、ボタンホール３１，３２のうちボタン３３を固定し易い方にボタン３３を固定してもよい。以下の説明では、何れかのボタンホールにボタン３３が固定された状態を「固定状態」と呼ぶ。固定状態では、ボタン３３から、ボタン３３を固定したボタンホールまでの周方向の長さ分、ウエスト部１０の周方向の長さが短くなる。図４（Ｂ）に例示するように、固定状態ではボタン３３が腹部に直接あたらないので着心地を向上できる。また、固定状態は、非固定状態よりもウエスト部１０をしっかりと固定できる。これにより、下半身用衣類１が着崩れを生じ難い。
【００３６】
なお、着用者は非固定状態のまま次の手順に進めてもよい。例えば、着用者のウエストサイズによってはウエスト部１０の裏側を重ね合わせたときに何れのボタンホールにもボタン３３を固定し難い場合がある。このような場合、着用者は非固定状態のまま次の手順に進める。
【００３７】
着用者は、固定状態において（又は非固定状態のまま）、Ｄカン１５ａ，１５ｂを持つ。そして、ウエスト部１０の裏側を重ね合わせたまま自分のウエストサイズに合う位置までＤカン１５ａ，１５ｂを右手前方向（着用者から見て左方向）に移動させる（図３（Ｂ）参照）。
【００３８】
続いて、図４（Ｃ）に例示するように、着用者は、ウエスト部１０の裏側を重ね合わせた部分に配された面ファスナー１３（第１部分の一例）と、面ファスナー１３のうちの残りの部分（第２部分の一例）とを接触させることで、面ファスナー１３同士を係止させる。これにより、ウエスト部１０の一部が「周方向に折り畳まれる」。これによって、ウエスト部１０が、着用者のウエストサイズに合ったサイズの環状に形成される。なお、「周方向に折り畳まれる」は、ウエスト部１０が実質的に平行に重なるように折り畳まれる場合のみならず、ウエスト部１０が斜めに重なるように折り畳まれる場合をも含む概念である。
【００３９】
上述のように、本実施形態の面ファスナー１３は、ウエスト部１０の正面側に設けられる。このため、着用者は、面ファスナー１３を係止する際、面ファスナー１３を容易に視認できる。また、本実施形態の面ファスナー１３は、ウエスト部１０において、中央部分１７の左側から右側にわたって配される。このため、面ファスナー１３は、ウエスト部１０が実質的に平行に重ね合わさるように係止することが可能である（図３（Ｃ）参照）。これにより、ウエスト部１０全体の見栄えをよくすることができる。また、図３（Ｃ）に例示するように、Ｄカン１５ａ，１５ｂをウエスト部１０の中央付近に固定できる。以下の説明では、面ファスナー１３が係止された状態を「係止状態」と呼ぶ。本実施形態において、係止状態では、前身頃部２０のつなぎ目部分２１が腹部に直接当たらない。これにより、肌あたりがよく着心地を向上できる。
【００４０】
続いて、着用者は、ベルト部１６の長さをＤカン１５ａ，１５ｂで調節する。図４（Ｄ）に例示するように、着用者は、両方のＤカンの輪にベルト部１６を通した後、Ｄカン１５ｂの輪の外側からＤカン１５ａの輪にベルト部１６を通す。そして、ウエスト部１０にぴったりと沿うまでベルト部１６の自由端を引っ張る。図３（Ｄ）及び図５は、Ｄカン１５ａ，１５ｂによってベルト部１６の長さがウエスト部１０の大きさに合わせて調節された様子を例示している。
【００４１】
図３（Ｄ）に例示するように、本実施形態では、面ファスナー１３の外側にベルト部１６が重畳して配置される。このように、面ファスナー１３がベルト部１６で覆われるので、面ファスナー１３が見えず見栄えがよい。また、ベルト部１６によって面ファスナー１３の係止面が覆われるので、面ファスナー１３の係止が外れ難くなる。
【００４２】
以上の手順により、着用者は、ウエストサイズに合った下半身用衣類１を着用できる。本実施形態の下半身用衣類１によれば、図５（Ｂ）に例示する妊産婦のように腹回りのサイズが大きく変化するような場合であっても、何れのときも見栄えよく良好な着用感で下半身用衣類１を着用できる。
【００４３】
例えば、着用者を妊産婦とする場合、下半身用衣類１のサイズは、係止状態におけるウエスト部１０の最小値（具体的には、ウエスト部１０の周方向の長さが最も小さくなるように調整されたときの当該周方向の長さ）と最大値（具体的には、ウエスト部１０の周方向の長さが最も大きくなるように調節されたときの当該周方向の長さ）とが以下のようになるように予め設定されてもよい。具体的には、最小値は、標準体型の女性における妊娠前の腹囲に基づいて設定されてもよい。また、最大値は、臨月の女性の腹囲に基づいて設定されてもよく、例えば、臨月の女性の腹囲よりも若干大きくなるように設定されてもよい。また、この最小値と最大値とに応じて、面ファスナー１３とベルト部１６との長手方向の長さが予め設定されてもよい。なお、最大値は、ウエスト部１０を折り畳まないときのウエスト部１０の周方向の長さでもよい。
【００４４】
なお、着用者は、下半身用衣類１を着用する際、ボタン３３を固定する前に、ウエスト部１０の周方向の長さを自分のウエストサイズに合わせるための仮止めとして面ファスナー１３を用いることができる。具体的には、非固定状態において、着用者は、まずウエスト部１０の裏側を重ね合わせた部分の面ファスナー１３を係止することで、面ファスナー１３を容易に仮止めできる。この状態を保持したまま、着用者は、ボタン３３をボタンホールに固定できる。これにより、下半身用衣類１がずり落ちるのを容易に防止しながら、仮止めしない場合よりも簡単にボタン３３を固定できる。なお、着用者は、ボタン３３を固定した後は、仮止めを解除して面ファスナー１３を係止し直してもよい。また、仮止めを解除せずに、ベルト部１６の長さをＤカン１５ａ，１５ｂで調節する手順に進んでもよい。
【００４５】
また、着用者は、ベルト部１６によってウエスト部１０の周方向の長さを調節するための仮止めとして面ファスナー１３を用いることができる。具体的には、上記のように面ファスナー１３を仮止めする。そして、この状態を保持したまま、ベルト部１６の長さをＤカン１５ａ，１５ｂで調節することにより、ウエスト部１０の周方向の長さを調節する。これにより、面ファスナー１３を係止しない場合よりも容易に、下半身用衣類１がずり落ちるのを防止しながらベルト部１６によってウエスト部１０の周方向の長さを調節できる。
【００４６】
［変形例］
他の実施形態では、高伸縮ウエスト部分１２は伸縮性を有するものであればどのようなものでもよい。具体的には、高伸縮ウエスト部分１２はギャザーでなくてもよい。また、高伸縮ウエスト部分１２は内部にゴム紐を有さなくてもよい。一例として、高伸縮ウエスト部分１２は、低伸縮ウエスト部分１１よりも伸縮性が高い生地（例えば、ハイテンションニット又はリブ編みの生地）で形成されてもよい。
【００４７】
また、他の実施形態の下半身用衣類１は、ウエスト部１０に設けられる構成として、ベルト通しを備えてもよい。このベルト通しは、ベルト部１６を面ファスナー１３の外側に重畳して固定するために用いられる。また、他の実施形態では、ベルト部１６は、下半身用衣類１に取り付けられていない別部品として構成してもよい。この場合、ベルト部１６の長手方向の長さは、ウエスト部１０の周方向の長さよりも長くてもよい。
【００４８】
また、他の実施形態では、下半身用衣類１は、ウエスト部１０の上端から下側へウエスト部１０を開閉可能な線ファスナーを備えてもよい。線ファスナーを閉めると、ウエスト部１０は全周方向に連続して形成される。線ファスナーを開けるとウエスト部１０が途中で切れる。すなわち、ウエスト部１０が環状に形成されなくなる。これにより、係止状態のまま下半身用衣類１を着脱できる。
【００４９】
上記他の実施形態では、下半身用衣類１は、ウエスト部１０の正面側以外に線ファスナーを備えてもよい。例えば、線ファスナーは、高伸縮ウエスト部分１２の左端１２ｂと低伸縮ウエスト部分１１の第２端１１ｂとの境目に配されてもよい。また、線ファスナーは、高伸縮ウエスト部分１２の中央に配されてもよい。これにより、着用状態において、下半身用衣類１の正面側から線ファスナーが見えないので見栄えがよい。
【００５０】
なお、面ファスナー１３が「周方向に設けられる」態様は、面ファスナー１３が周方向に一続きに延びて設けられる態様（図２（Ａ）参照）のみならず、面ファスナー１３が周方向に並んで設けられる態様をも含む概念である。すなわち、下半身用衣類１が備える面ファスナー１３は１つに限らない。他の実施形態では、下半身用衣類１は、中央部分１７よりも右側に偏って複数（例えば２つ以上）の面ファスナー１３を備えてもよい。
【００５１】
また、他の実施形態では、面ファスナー１３として、フック面とループ面との区別があるものを用いてもよい。例えば、図２（Ａ）を参照して説明した面ファスナー１３の左端からフック面（第１部分の一例）が配される場合について説明する。なお、このフック面よりも右側から上記面ファスナー１３の右端までの間にループ面（第２部分の一例）が配されるものとする。このような場合、ループ面はフック面よりも背面側まで延びている。すなわち、ループ面の後端は、フック面の後端よりも背面側に配される。これにより、係止状態ではフック面がウエスト部１０の外側に現れない。このため、下半身用衣類１の生地などにフック面が引っかかるといった問題が生じることを効果的に防止でき、着心地を向上できる。なお、周方向の長さは、フック面よりもループ面の方が長くてもよいし、フック面の方がループ面よりも長くてもよいし、フック面とループ面とが同じ長さでもよい。
【００５２】
上記のように面ファスナー１３としてフック面とループ面との区別があるものを用いる変形例について、図６を参照して説明する。図６は、面ファスナー１３の変形例を模式的に表す図である。図６（ａ）に例示するように、ループ面は、フック面と連続して配されてもよい。このような場合、フック面とループ面との面ファスナーが周方向に一体的に構成されるので、フック面とループ面との間に係止できない部分がない。このため、ウエスト部１０のサイズを細やかに調節できる。ここで、「延設」は、面ファスナーが一続きに設けられる態様（図２（Ａ）参照）のみならず、面ファスナーに切れ目があっても連続して配されることにより面ファスナーが一体的に構成される態様をも含む概念である。このため、フック面とループ面との面ファスナーが連続して配されることにより一体的に構成される場合も延設に該当する。
【００５３】
また、図６（ｂ），（ｃ）に例示するように、ループ面は、フック面から周方向に所定の間隔（例えば３ｃｍ）を空けて配されてもよい。これにより、ウエスト部１０の正面側の面ファスナーを少なくできる。これによって、腹部に面したウエスト部１０の固さが柔らかくなり、着心地を向上できる。また、ループ面を、ウエスト部１０のサイズを調整するのに必要な箇所に適切に配することができる。
【００５４】
また、図６（ｃ）に例示するように、複数（例えば２つ以上）のループ面が、周方向に所定の間隔（例えば２ｃｍ）を空けて配されてもよい。これにより、ループ面が連続するところはウエスト部１０のサイズを細やかに調節できる。また、ウエスト部１０のサイズを調節するのにあまり用いられない箇所にループ面を設けずにすむ。
【００５５】
また、図６（ｄ）に例示するように、複数（例えば２つ以上）のフック面が、周方向に所定の間隔（例えば２ｃｍ）を空けて配されてもよい。これにより、複数のフック面をループ面と接することができる。複数の面で係止できるため接着力が増し、面ファスナー１３の係止が意図せずに外れる可能性を低くできる。なお、フック面間の間隔は、フック面とループ面との間隔と同じでもよいし異なってもよい。
【００５６】
なお、他の実施形態では、図６におけるループ面の位置とフック面の位置とが逆でもよい。
【００５７】
また、他の実施形態では、長さ調節部はバックルでもよい。また、他の実施形態では、下半身用衣類１は、長さ調節部を備えなくてもよい。この場合、下半身用衣類１は、ベルト部１６に加えて、ベルト部１６と同様の帯状に形成される第２ベルト部分を備えてもよい。例えば、第２ベルト部分は、ウエスト部１０の表側に設けられる。具体的には、第２ベルト部分の長手方向の一端は、面ファスナー１３の左側（例えば、Ｄカン１５ａと同じ位置）に取り付けられる。すなわち、第２ベルト部分とベルト部１６との間に面ファスナー１３が配される。なお、第２ベルト部分の他端は、ベルト部１６と同様に自由端である。
【００５８】
ベルト部１６と第２ベルト部分とは、互いの自由端を緩みなく結ぶことにより、長さを調節できる。このように結んだ場合、ベルト部１６及び第２ベルト部分が面ファスナー１３の外側に重畳して配置される。これにより、ベルト部１６及び第２ベルト部分で面ファスナー１３が覆われるので、面ファスナー１３が見えず見栄えがよい。また、ベルト部１６及び第２ベルト部分によって面ファスナー１３の係止面が覆われるので、面ファスナー１３の係止が外れ難くなる。
【００５９】
また、他の実施形態では、ボタンホール３１，３２及びボタン３３を備えなくてもよい。
【００６０】
本発明の下半身用衣類は、種々の態様が可能である。例えば、スカート、スポーツ衣類、インナーウェアなど、各種の下半身用衣類に適用できる。また、上述した構成は単なる一例であり、本発明は、上記実施形態に限定されず、様々な変形および応用が可能である。また、上記実施形態および変形例は互いに適用可能であり、様々な組み合わせで本発明が実現されてもよい。
【符号の説明】
【００６１】
１    下半身用衣類
１０  ウエスト部
１３  面ファスナー
１５ａ  Ｄカン
１５ｂ  Ｄカン
１６  ベルト部
３１  ボタンホール
３２  ボタンホール
３３  ボタン
【図１】
2020020049.tif 000003
【図２】
2020020049.tif 000004
【図３】
2020020049.tif 000005
【図４】
2020020049.tif 000006
【図５】
2020020049.tif 000007
【図６】
2020020049.tif 000008
【手続補正書】
【提出日】令和1年9月25日(2019.9.25)
【手続補正１】
【補正対象書類名】明細書
【補正対象項目名】０００６
【補正方法】変更
【補正の内容】
【０００６】
本発明は、上記の課題を解決するために以下の構成を採用した。
（１）本発明の一例である下半身用衣類は、本体部と、前記本体部の上端に設けられ、環状に形成されたウエスト部と、前記ウエスト部の表側に取り付けられた面ファスナーと、前記面ファスナーの外側に重畳して配置可能なベルト部と、前記ウエスト部に設けられ、前記ベルト部の長さを調節する長さ調節部と、を備え、前記ベルト部の一端は、前記ウエスト部に一端が固定されており、前記面ファスナーは、前記長さ調節部と前記ベルト部の前記一端との間において前記ウエスト部の周方向に設けられており、前記面ファスナーは、第１部分と、当該第１部分とは周方向に位置が異なる第２部分とを含み、前記第１部分と前記第２部分とが係止可能であり、前記第１部分と前記第２部分とが重なるように前記ウエスト部の一部を周方向に折り畳むことによりウエストサイズを調整可能であり、前記面ファスナーの前記第１部分と前記第２部分とを係止した場合に、前記長さ調節部が、前記面ファスナーの折り返し点よりも前記ベルト部の前記一端側にある。
（２）前記長さ調節部から前記面ファスナーの一端までの前記ウエスト部の周方向の距離の方が、前記ベルト部の前記一端から前記面ファスナーの他端までの前記ウエスト部の周方向の距離よりも短くてもよい。
（３）本発明の一例である下半身用衣類は、本体部と、前記本体部の上端に設けられ、環状に形成されたウエスト部と、前記ウエスト部の表側に取り付けられた面ファスナーと、前記面ファスナーの外側に重畳して配置可能なベルト部と、を備え、前記ベルト部は、第１ベルト部分と第２ベルト部分とを含み、前記第１ベルト部分の一端は、前記ウエスト部のうちの第１箇所に固定されており、前記第２ベルト部分の一端は、前記ウエスト部のうちの第２箇所に固定されており、前記面ファスナーは、前記第１箇所と前記第２箇所との間において前記ウエスト部の周方向に設けられており、前記面ファスナーは、第１部分と、当該第１部分とは周方向に位置が異なる第２部分とを含み、前記第１部分と前記第２部分とが係止可能であり、前記第１部分と前記第２部分とが重なるように前記ウエスト部の一部を周方向に折り畳むことによりウエストサイズを調整可能であり、前記面ファスナーの前記第１部分と前記第２部分とを係止した場合に、前記第１箇所が、前記面ファスナーの折り返し点よりも前記第２箇所側にあり、前記第１箇所から前記面ファスナーの一端までの前記ウエスト部の周方向の距離の方が、前記第２箇所から前記面ファスナーの他端までの前記ウエスト部の周方向の距離よりも短くてもよい。
（４）前記ウエスト部の周方向に前記面ファスナーが延設されてもよい。
（５）前記ウエスト部の正面側に前記面ファスナーが設けられてもよい。
（６）前記面ファスナーは、フック面とループ面との区別がない面ファスナーでもよい。
（７）前記面ファスナーは、フック面とループ面とを含み、前記フック面と前記ループ面とが前記ウエスト部の周方向に並んで配されてもよい。
（８）前記第１部分は、前記面ファスナーにおける正面側の一部であり、前記第２部分は、前記面ファスナーにおいて前記第１部分よりも背面側の一部であり、前記第１部分が前記フック面で構成され、前記第２部分が前記ループ面で構成されてもよい。
（９）前記ウエスト部は、伸縮性の高い高伸縮部分と、当該高伸縮部分よりも伸縮性が低い低伸縮部分とを含んでもよい。
（１０）前記高伸縮部分よりも前記低伸縮部分の方が前記ウエスト部の周方向に対して占める長さが長くてもよい。
（１１）前記高伸縮部分は、前記ウエスト部の正面側に配されておらず、前記ウエスト部の背面側に配されてもよい。
【手続補正２】
【補正対象書類名】特許請求の範囲
【補正対象項目名】全文
【補正方法】変更
【補正の内容】
【特許請求の範囲】
【請求項１】
本体部と、
前記本体部の上端に設けられ、環状に形成されたウエスト部と、
前記ウエスト部の表側に取り付けられた面ファスナーと、
前記面ファスナーの外側に重畳して配置可能なベルト部と、
前記ウエスト部に設けられ、前記ベルト部の長さを調節する長さ調節部と、を備え、
前記ベルト部の一端は、前記ウエスト部に固定されており、
前記面ファスナーは、前記長さ調節部と前記ベルト部の前記一端との間において前記ウエスト部の周方向に設けられており、
前記面ファスナーは、第１部分と、当該第１部分とは周方向に位置が異なる第２部分とを含み、前記第１部分と前記第２部分とが係止可能であり、
前記第１部分と前記第２部分とが重なるように前記ウエスト部の一部を周方向に折り畳むことによりウエストサイズを調整可能であり、
前記面ファスナーの前記第１部分と前記第２部分とを係止した場合に、前記長さ調節部が、前記面ファスナーの折り返し点よりも前記ベルト部の前記一端側にある、下半身用衣類。
【請求項２】
前記長さ調節部から前記面ファスナーの一端までの前記ウエスト部の周方向の距離の方が、前記ベルト部の前記一端から前記面ファスナーの他端までの前記ウエスト部の周方向の距離よりも短い、請求項１に記載の下半身用衣類。
【請求項３】
本体部と、
前記本体部の上端に設けられ、環状に形成されたウエスト部と、
前記ウエスト部の表側に取り付けられた面ファスナーと、
前記面ファスナーの外側に重畳して配置可能なベルト部と、を備え、
前記ベルト部は、第１ベルト部分と第２ベルト部分とを含み、
前記第１ベルト部分の一端は、前記ウエスト部のうちの第１箇所に固定されており、
前記第２ベルト部分の一端は、前記ウエスト部のうちの第２箇所に固定されており、
前記面ファスナーは、前記第１箇所と前記第２箇所との間において前記ウエスト部の周方向に設けられており、
前記面ファスナーは、第１部分と、当該第１部分とは周方向に位置が異なる第２部分とを含み、前記第１部分と前記第２部分とが係止可能であり、
前記第１部分と前記第２部分とが重なるように前記ウエスト部の一部を周方向に折り畳むことによりウエストサイズを調整可能であり、
前記面ファスナーの前記第１部分と前記第２部分とを係止した場合に、前記第１箇所が、前記面ファスナーの折り返し点よりも前記第２箇所側にあり、
前記第１箇所から前記面ファスナーの一端までの前記ウエスト部の周方向の距離の方が、前記第２箇所から前記面ファスナーの他端までの前記ウエスト部の周方向の距離よりも短い、下半身用衣類。
【請求項４】
前記ウエスト部の周方向に前記面ファスナーが延設された、請求項１から３の何れか１項に記載の下半身用衣類。
【請求項５】
前記ウエスト部の正面側に前記面ファスナーが設けられた、請求項１から４の何れか１項に記載の下半身用衣類。
【請求項６】
前記面ファスナーは、フック面とループ面との区別がない面ファスナーである、請求項１から５の何れか１項に記載の下半身用衣類。
【請求項７】
前記面ファスナーは、フック面とループ面とを含み、
前記フック面と前記ループ面とが前記ウエスト部の周方向に並んで配された、請求項１から５の何れか１項に記載の下半身用衣類。
【請求項８】
前記第１部分は、前記面ファスナーにおける正面側の一部であり、
前記第２部分は、前記面ファスナーにおいて前記第１部分よりも背面側の一部であり、
前記第１部分が前記フック面で構成され、
前記第２部分が前記ループ面で構成される、請求項７に記載の下半身用衣類。
【請求項９】
前記ウエスト部は、伸縮性の高い高伸縮部分と、当該高伸縮部分よりも伸縮性が低い低伸縮部分とを含む、請求項１から８の何れか１項に記載の下半身用衣類。
【請求項１０】
前記高伸縮部分よりも前記低伸縮部分の方が前記ウエスト部の周方向に対して占める長さが長い、請求項９に記載の下半身用衣類。
【請求項１１】
前記高伸縮部分は、前記ウエスト部の正面側に配されておらず、前記ウエスト部の背面側に配されている、請求項１０に記載の下半身用衣類。